(57)【特許請求の範囲】
【請求項１】
映画フイルムを間欠的に走行させた際の当該映画フイルムの各停止位置を検出するフイルム位置検出装置において、
上記映画フイルムの両面から挟み込んで挟持すると共に、光源光又は撮像光を上記映画フイルムの所定領域に通過させる窓穴が形成された第１及び第２のガイド部と、
上記映画フイルムの長手方向に沿つて複数形成された走行同期穴を含む上記映画フイルムの縁部に対向して上記第１のガイド部に設けられた複数の電極と、
上記映画フイルムを介して上記複数の電極に対向した上記第２のガイド部に形成されたバンド状の導電部材と
を具え、各上記電極及び上記導電部材をそれぞれ極板とし、かつ上記映画フイルムの厚みを上記極板間隔として形成された複数のコンデンサの各上記停止位置からの変位量に応じて変化する各静電容量の変化量に基づいて、上記窓穴に対する各停止位置を検出する
ことを特徴するフイルム位置検出装置。
【請求項２】
上記第１のガイド部には、
上記複数の電極のうち、各上記走行同期穴に対応してそれぞれ一対の第１及び第２の電極が配設されると共に、上記縁部に対応して所定数の第３の電極が配設された
ことを特徴とする請求項１に記載のフイルム位置検出装置。
【請求項３】
上記第１のガイド部に配設された上記複数の電極は、上記映画フイルムの対向面とで凹凸が生じないように滑らかに加工されてなる
ことを特徴とする請求項１に記載のフイルム位置検出装置。
【請求項４】
映画フイルムの長手方向に沿つて複数形成された走行同期穴を介してスプロケツトの回転に同期させて上記映画フイルムを間欠的に停止させ、当該各停止位置で光源からの光源光を上記映画フイルムの所定領域に照射して上記映画フイルムの透過光を所定の投影対象に表示させる映像表示装置において、
上記映画フイルムの両面から挟み込んで挟持すると共に、上記光源光を通過させる窓穴が形成された第１及び第２のガイド部と、
上記複数の走行同期穴を含む上記映画フイルムの縁部に対向して上記第１のガイド部に設けられた複数の電極と、
上記映画フイルムを介して上記複数の電極に対向した上記第２のガイド部に形成されたバンド状の導電部材と、
上記透過光の光軸を変化させる光軸補正手段と
を具え、各上記電極及び上記導電部材をそれぞれ極板とし、かつ上記映画フイルムの厚みを上記極板間隔として形成された複数のコンデンサの各上記停止位置からの変位量に応じて変化する各静電容量の変化量に基づいて、上記窓穴に対する各停止位置を検出した後、上記光軸補正手段は当該検出結果に応じて上記透過光の光軸を補正する
ことを特徴する映像表示装置。
【請求項５】
上記第１のガイド部には、
上記複数の電極のうち、各上記走行同期穴に対応してそれぞれ一対の第１及び第２の電極が配設されると共に、上記縁部に対応して所定数の第３の電極が配設された
ことを特徴とする請求項４に記載の映像表示装置。
【請求項６】
上記第１のガイド部に配設された上記複数の電極は、上記映画フイルムの対向面とで凹凸が生じないように滑らかに加工されてなる
ことを特徴とする請求項４に記載の映像表示装置。
【請求項７】
映画フイルムの長手方向に沿つて複数形成された走行同期穴を介してスプロケツトの回転に同期させて上記映画フイルムを間欠的に停止させ、当該各停止位置で所定の撮像光を上記映画フイルムの所定領域に照射して当該映画フイルムに上記撮像光に基づく映像を記録する映画フイルム記録装置において、
上記映画フイルムの両面から挟み込んで挟持すると共に、上記撮像光を通過させる窓穴が形成された第１及び第２のガイド部と、
上記複数の走行同期穴を含む上記映画フイルムの縁部に対向して上記第１のガイド部に設けられた複数の電極と、
上記映画フイルムを介して上記複数の電極に対向した上記第２のガイド部に形成されたバンド状の導電部材と、
上記撮像光の光軸を変化させる光軸補正手段と
を具え、各上記電極及び上記導電部材をそれぞれ極板とし、かつ上記映画フイルムの厚みを上記極板間隔として形成された複数のコンデンサの各上記停止位置からの変位量に応じて変化する各静電容量の変化量に基づいて、上記窓穴に対する各停止位置を検出した後、上記光軸補正手段は当該検出結果に応じて上記撮像光の光軸を補正する
ことを特徴する映画フイルム記録装置。
【請求項８】
上記第１のガイド部には、
上記複数の電極のうち、各上記走行同期穴に対応してそれぞれ一対の第１及び第２の電極が配設されると共に、上記縁部に対応して所定数の第３の電極が配設された
ことを特徴とする請求項７に記載の映画フイルム記録装置。
【請求項９】
上記第１のガイド部に配設された上記複数の電極は、上記映画フイルムの対向面とで凹凸が生じないように滑らかに加工されてなる
ことを特徴とする請求項７に記載の映画フイルム記録装置。
【発明の詳細な説明】
【０００１】
【目次】
以下の順序で本発明を説明する。
発明の属する技術分野
従来の技術（図１３及び図１４）
発明が解決しようとする課題（図１５）
課題を解決するための手段
発明の実施の形態
（１）映像再生部の構成（図１）
（２）ガイドシユーの構成（図２〜図６）
（３）光軸補正部の構成（図７〜図９）
（４）映像再生部における動作タイミング（図１０（Ａ）〜（Ｃ））
（５）実施例の動作（図１〜図１０（Ｃ））
（６）実施例の効果（図１〜図１０（Ｃ））
（７）他の実施例（図１１及び図１２）
発明の効果
【０００２】
【発明の属する技術分野】
本発明はフイルム位置検出装置、映像表示装置及び映画フイルム記録装置に関し、例えば映画フイルムの位置振れを検出するフイルム位置検出装置、映像表示装置及び映画フイルム記録装置に適用して好適なものである。
【０００３】
【従来の技術】
従来、図１３に示すように、映画館で用いられている35〔mm〕の映画フイルム１においては、当該映画フイルム１の幅方向の両端部に走行同期をとるための送り穴（以下、これをパーフオレーシヨンと呼ぶ）２がそれぞれ所定間隔ごと（例えば１コマ 19.05〔mm〕で、かつ１コマ当たり４個のパーフオレーシヨン）に順次設けられ、これら２つのパーフオレーシヨンの列（以下、これらをそれぞれ第１及び第２のパーフオレーシヨン列と呼ぶ）３Ａ及び３Ｂで挟まれる内側部分に画像及びアナログ信号でなる音声情報がそれぞれ対応する各記録領域４及び５内にそれぞれ光学的に記録されている。
【０００４】
以下この映画フイルム１を図１４に示す映画フイルム走行装置を用いて走行させる場合について説明する。
図１４において、１０は全体として映画フイルム走行装置を示し、供給リール１１から引き出した映画フイルム１を映像再生部１２及びアナログ音声再生部１３を介して巻取リール１４において巻き取るようになされている。
【０００５】
映像再生部１２においては、供給リール１１からローラ１５、１６を介して供給される映画フイルム１を、スプロケツト１７及びスプロケツトシユー１８間とゲート部１９とを介して間欠送り部２０において受け、当該間欠送り部２０からスプロケツト２１を介してアナログ音声再生部１３に送り出すようになされている。
【０００６】
ここで、ゲート部１９はピクチヤゲート２２及びプレツシヤプレート２３間において映画フイルム１を挟むような構成でなり、当該ピクチヤゲート２２の映画フイルム１との対向面にはスチールバンド２４が設けられると共に、当該プレツシヤプレート２３の映画フイルム１との対向面には当該対向面が湾曲形状でなるガイドシユー２５が設けられている。
【０００７】
また、間欠送り部２０は間欠送り用のスプロケツト（以下、これを間欠送りスプロケツトと呼ぶ）２６及び間欠送り用のスプロケツトシユー（以下、これを間欠送りシユーと呼ぶ）２７間に映画フイルム１を挟むような構成でなる。この場合、間欠送り部２０において間欠送りスプロケツト２６は再生モード時、所定のタイミングで所定角度ずつ順次回転し、これにより映画フイルム１の各画像記録領域４（図１２）がゲート部１９に瞬間的に（例えば24回／秒の割合で）順次停止するように当該映画フイルム１を間欠送りする。
【０００８】
このとき当該ゲート部１９は、映画フイルム１の走行中は映画フイルム１の幅方向の両端部をスチールバンド２４及びガイドシユー２５間に挟み込むようになされている。
【０００９】
またこのとき映像再生部１２におけるピクチヤゲート２２の左側にはランプハウス部２８が配設され、当該ランプハウス部２８内の光源２９からは投影用の光ビーム（以下、これを投影光ビームと呼ぶ）Ｌ１が発射され、これが投影シヤツタ３０及びピクチヤゲート２２の映画フイルム１との対向面に設けられたピクチヤアパーチヤ（図示せず）を介して映画フイルム１に入射する。ここでランプハウス部２８に設けられた投影シヤツタ３０は、モータ３１の駆動制御に基づいて映画フイルム１の間欠送り動作に連動して開閉を繰り返すようになされ、映画フイルム１が停止状態にあるときのみ開口するようになされている。
【００１０】
さらに映像再生部１２では、投影光ビームＬ１が映画フイルム１の各画像記録領域４を透過した透過光を、プレツシヤプレート２３の映画フイルム１との対向面に設けられたピクチヤアパーチヤ（図示せず）及び投影レンズ部３２を介してスクリーン３３に照射するようになされ、これにより画像を当該スクリーン３３上に映写するようになされている。
【００１１】
続いて間欠送り部２０から送り出された映画フイルム１は、スプロケツト２１及びアナログ音声再生部１３のローラ３４を介して再生部３５のドラム３６と係合する。この場合当該ドラム３６においては、映画フイルム１のアナログ音声情報がその振幅に応じた露光幅で光記録されてなるアナログ音声記録領域部分５（図１３）を避けて当該映画フイルム１の一面側と接触するようになされている。
【００１２】
再生部３５においては、図示しない光源から放射された光ビームをミラーを介して映画フイルム１のアナログ音声記録領域５に照射し、その透過光を光電変換素子で受光するようになされている。光電変換素子は受光した透過光の光量に応じた信号レベルの受光信号を続く電気回路に送出すると共に、当該電気回路は受感信号の信号レベルに基づいて映画フイルム１のアナログ音声記録領域５に記録されているアナログ音声情報を再生し、これを続く信号処理回路又はスピーカ等に送出する。
【００１３】
この後当該映画フイルム走行装置１０においては、映画フイルム１をアナログ音声再生部１３のローラ３７、ドラム３８、ローラ３９、スプロケツト４０、４１及びローラ４２を介して巻取リール１４に供給するようになされ、これにより当該巻取リール１４で映画フイルム１を順次巻き取るようになされている。
【００１４】
ところで実際上、映像再生部１２のゲート部１９では、ガイドシユー２５によつて映画フイルム１の幅方向における各パーフオレーシヨン列３Ａ、３Ｂの外側の領域及び各パーフオレーシヨン２間の領域がスチールバンド２４に対して押さえ付けられることにより、当該映画フイルム１が長手方向すなわち走行方向に位置振れしないようになされている。
【００１５】
これにより映画フイルム１を間欠送りスプロケツト２６によつて間欠送りする際、当該映像フイルム１が間欠送りスプロケツト２６の回転動作に伴つてゲート部１９内において瞬間的に停止する位置を安定させることができ、この結果スクリーン３３上に映写された画像に振れが生じるのを防止することができる。
【００１６】
因みにこのガイドシユー２５及びスチールバンド２４は、それぞれ映画フイルム１との当接面が滑らかに加工され、これにより映画フイルム１の走行中に第１及び第２のパーフオレーシヨン列３Ａ、３Ｂに相対摩擦による擦り傷が生じるのを防止するようになされている。
【００１７】
【発明が解決しようとする課題】
ところが、映画フイルム１の表面状態との関係上、間欠送りする際、当該映画フイルム１のゲート部１９内における停止位置を安定状態に保つことが困難になる問題があつた。また映画フイルム１の幅方向に位置振れする場合にもスクリーン３３上に映写された画像に振れが生じるおそれがあることから、ゲート部１９内に映画フイルム１を幅方向から挟み込むような構成でなるガイド（図示せず）を設けることにより、当該映画フイルム１がその幅方向に振れないようになされている。ところが、映画フイルム１とガイドとの間に生じる隙間によつて当該映画フイルム１が幅方向に位置振れする場合があり、この結果スクリーン３３上に映写された画面に振れが生じるおそれがある。
【００１８】
この問題を解決するための１つの方法として、図１５に示すようにゲート部１９内にフオトセンサ７を設け、当該フオトセンサ７を用いて間欠送りされる映画フイルム１の停止位置を検出することにより、当該検出結果に基づいてスクリーン３３上に映写された画面の投影位置を補正する方法がある。このフオトセンサ７はほぼコ字状に形成され、ゲート部１９のピクチヤアパーチヤに対する映画フイルム１の停止位置において、映画フイルム１のパーフオレーシヨン列３Ｂを挟み込むことにより、各パーフオレーシヨン２の長手方向の一端部２Ａ及び幅方向の一端部２Ｂの位置におけるそれぞれに対応した当該停止位置からの変位量（以下、これを位置振れ量と呼ぶ）を検出し得るようになされている。
【００１９】
ところがかかる方法によれば、映画フイルム１にゴミが付着したり、また映画フイルム１に相対摩擦による削り屑が発生するおそれがあり、この結果映画フイルム１にゴミ等が付着してフオトセンサ７の光路が遮られ、映画フイルム１の停止位置を誤検出するという問題があつた。
【００２０】
またゲート部１９にフオトセンサ７を設けるにあたつて、ガイドシユー２５及びスチールバンド２４の一部を切り欠く必要があり、ガイドシユー２５及びスチールバンド２４の映画フイルム１と当接するガイド面が当該切り欠いた部位で不連続となり、この結果映画フイルム１に擦り傷を生じさせるおそれがあつた。
さらにフオトセンサ７のコ字状内における投光側及び受光側間に映画フイルム１が挟み込むようにする必要があるため、映画フイルム１の挿入時に物理的及び機構的な制限が生じ、この結果映画フイルム１に傷が付くおそれがあつた。
【００２１】
ところで実用上、ピクチヤゲート２２及びスチールバンド２４が装置側に固定されているのに対してプレツシヤプレート２３及びガイドシユー２５は一体に取り外しし得るようになされている。これによりゲート部１９に装着されている映画フイルム１を別の映画フイルム１と交換する場合、操作者はまずピクチヤゲート２２と嵌合状態にあるプレツシヤプレート２３を投影レンズ３２側に移動させた後、装着されている映画フイルム１を取り除く。続いて操作者は別の映画フイルム１をガイドシユー２５及びスチールバンド２４間に介挿した後、プレツシヤプレート２３をピクチヤゲート２２に嵌め合わせることにより、当該映画フイルム１を装着する。
【００２２】
このようにゲート部１９は操作者が映画フイルム１を交換する毎に直接接触する部分であるため、耐久性を考慮して全体的に非常に頑丈な構造で成形されている。従つて既存のゲート部１９内にフオトセンサ７を設けることは、ゲート部１９がプレツシヤプレート２３側及びピクチヤゲート２２側で別体となる構造であることからみても、構造上非常に困難となる問題があつた。
さらに操作者が直接接触するゲート部１９に繊細な構成でなるフオトセンサ７を組み込むことから、当該フオトセンサ７が破損し易くなるという問題もあつた。
【００２３】
本発明は以上の点を考慮してなされたもので、簡易な構成で映画フイルムの位置検出の精度を向上させ得るフイルム位置検出装置、映像表示装置及び映画フイルム記録装置を提案しようとするものである。
【００２４】
【課題を解決するための手段】
かかる課題を解決するため本発明においては、映画フイルムを間欠的に走行させた際の当該映画フイルムの各停止位置を検出するフイルム位置検出装置において、映画フイルムの両面から挟み込んで挟持すると共に、光源光又は撮像光を映画フイルムの所定領域に通過させる窓穴が形成された第１及び第２のガイド部について、第１のガイド部には映画フイルムの長手方向に沿つて複数形成された走行同期穴を含む映画フイルムの縁部に対向して複数の電極を設けると共に、第２のガイド部には映画フイルムを介して複数の電極に対向してバンド状の導電部材を設けるようにする。この状態において、各電極及び導電部材をそれぞれ極板とし、かつ映画フイルムの厚みを極板間隔として形成された複数のコンデンサの各停止位置からの変位量に応じて変化する各静電容量の変化量に基づいて、窓穴に対する各停止位置を検出するようにする。
【００２５】
また本発明においては、映画フイルムの長手方向に沿つて複数形成された走行同期穴を介してスプロケツトの回転に同期させて映画フイルムを間欠的に停止させ、当該各停止位置で光源からの光源光を映画フイルムの所定領域に照射して映画フイルムの透過光を所定の投影対象に表示させる映像表示装置において、映画フイルムの両面から挟み込んで挟持すると共に、光源光を通過させる窓穴が形成された第１及び第２のガイド部について、第１のガイド部には複数の走行同期穴を含む映画フイルムの縁部に対向して複数の電極を設けると共に、第２のガイド部には映画フイルムを介して複数の電極に対向してバンド状の導電部材を設けるようにする。この状態において、各電極及び導電部材をそれぞれ極板とし、かつ映画フイルムの厚みを極板間隔として形成された複数のコンデンサの各停止位置からの変位量に応じて変化する各静電容量の変化量に基づいて、窓穴に対する各停止位置を検出した後、光軸補正手段は当該検出結果に応じて透過光の光軸を補正するようにする。
【００２６】
さらに本発明においては、映画フイルムの長手方向に沿つて複数形成された走行同期穴を介してスプロケツトの回転に同期させて映画フイルムを間欠的に停止させ、当該各停止位置で所定の撮像光を映画フイルムの所定領域に照射して当該映画フイルムに撮像光に基づく映像を記録する映画フイルム記録装置において、映画フイルムの両面から挟み込んで挟持すると共に、撮像光を通過させる窓穴が形成された第１及び第２のガイド部について、第１のガイド部には複数の走行同期穴を含む映画フイルムの縁部に対向して複数の電極を設けると共に、第２のガイド部には映画フイルムを介して複数の電極に対向してバンド状の導電部材を設けるようにする。この状態において、各電極及び導電部材をそれぞれ極板とし、かつ映画フイルムの厚みを極板間隔として形成された複数のコンデンサの各停止位置からの変位量に応じて変化する各静電容量の変化量に基づいて、窓穴に対する各停止位置を検出した後、光軸補正手段は当該検出結果に応じて撮像光の光軸を補正するようにする。
【００２７】
このように第１のガイド部に映画フイルムの長手方向に沿つて複数形成された走行同期穴を含む映画フイルムの縁部に対向して複数の電極を設けると共に、第２のガイド部に映画フイルムを介して複数の電極に対向してバンド状の導電部材を設け、各電極及び導電部材をそれぞれ極板とし、かつ映画フイルムの厚みを極板間隔として形成された複数のコンデンサの各停止位置からの変位量に応じて変化する各静電容量の変化量に基づいて、窓穴に対する各停止位置を検出するようにしたことにより、映画フイルムにゴミが付着したり、また映画フイルムに相対摩擦による削り屑が発生した場合でも、当該ゴミ又は削り屑によつて映画フイルムの位置検出に誤りが生じるのを回避することができる。
【００２８】
【発明の実施の形態】
以下図面について、本発明の一実施例を詳述する。
【００２９】
（１）映像再生部の構成
図１４との対応部分に同一符号を付して示す図１において、映画フイルム走行装置（図示せず）内の映像再生部５０は、従来の映像再生部１２とはゲート部５１の構成が異なると共に、当該ゲート部５１及び撮影レンズ部３２間に光軸補正部５２が設けられている。
【００３０】
ゲート部５１は、映画フイルム１の第１及び第２のパーフオレーシヨン列３Ａ及び３Ｂをスチールバンド２４及びガイドシユー５３間に挟み込むことにより、ピクチヤアパーチヤを基準とした映画フイルム１の停止位置からの各パーフオレーシヨン２の長手方向及び幅方向の位置振れ量をそれぞれ検出し得るようになされている。また光軸補正部５２は、ゲート部５１によつて検出された映画フイルム１の位置振れ量に基づいて投影光ビームＬ１の光軸を変化し得るようになされている。
【００３１】
ここで映画フイルム１が間欠送りされる際、ゲート部５１で映画フイルム１の長手方向の位置振れ量を検出した後、位置検出回路４９を介して得られる長手方向検出信号Ｓ１をサンプリングパルス生成回路５４に送出すると共に、サンプルホールド回路５５でサンプルホールドした後、これを長手方向位置信号Ｓ５として比較回路５７に送出する。これと同時にゲート部５１で映画フイルム１の幅方向の位置振れ量を検出した後、位置検出回路４９を介して得られる幅方向検出信号Ｓ２をサンプリングパルス生成回路５４に送出すると共に、サンプルホールド回路５６でサンプルホールドした後、これを幅方向位置信号Ｓ６として比較回路５８に送出する。
またこのときサンプリングパルス生成回路５４は、映画フイルム１が停止状態にあるとき、各位置信号Ｓ５、Ｓ６をサンプルホールドするためのサンプリングパルスＳ３及びＳ４を出力する。
【００３２】
比較回路５７は、長手方向位置信号Ｓ５と光軸補正部Ｓ２の角度センサ出力とを比較し、これを補正出力信号Ｓ７として増幅回路５９を介して増幅した後ドライブ部６０に送出する。また比較回路５８は、幅方向位置信号Ｓ６と光軸補正部Ｓ２の角度センサ出力とを比較し、これを補正出力信号Ｓ８として増幅回路６１を介して増幅した後ドライブ部６２に送出する。
【００３３】
ドライブ部６０は、補正出力信号Ｓ７に基づいて光軸補正部５２における投影光ビームＬ１の光軸を変化させると共に、当該変換した角度情報を角度センサ６３に送出する。またドライブ部６２は、補正出力信号Ｓ８に基づいて光軸補正部５２における投影光ビームＬ１の光軸を変化させると共に、当該変換した角度情報を角度センサ６５に送出する。
【００３４】
角度センサ６３は、ドライブ部６０から得られる角度情報に基づいて光軸の補正量を検出し、これを光軸補正検出信号Ｓ９として増幅回路６４を介して比較回路５７に送出する。比較回路５７は、サンプルホールド回路５５により得られた長手方向位置信号Ｓ５と光軸補正検出信号Ｓ１０を比較して、映画フイルム１の長手方向の位置振れの信号レベルと当該位置振れに応じた光軸の補正量との差分を補正出力信号Ｓ７として出力し、これによりドライブ部６０は光軸が補正されるまで光軸に変化を与える。
【００３５】
角度センサ６５は、ドライブ部６２から得られる角度情報に基づいて光軸の補正量を検出し、これを光軸補正検出信号Ｓ１０として増幅回路６６を介して比較回路５８に送出する。比較回路５８は、サンプルホールド回路５６により得られた幅方向検出信号Ｓ６と光軸補正検出信号Ｓ１０を比較して、映画フイルム１の幅方向の位置振れの信号レベルと当該位置振れに応じた光軸の補正量との差分を補正出力信号Ｓ８として出力し、これによりドライブ部６２は光軸が補正されるまで光軸に変化を与える。
【００３６】
（２）ガイドシユーの構成
ここでゲート部５１は、従来のゲート部１９（図１４）とはガイドシユー５３の構成が異なることを除いてほぼ同様の構成からなる。すなわち図２に示すようにガイドシユー５３は、例えばステンレス等の導電部材でなり、映画フイルム１との対向面５３Ａ及び５３Ｂにおけるプレツシヤプレート２３のピクチヤアパーチヤ２３Ａの中央両端側に位置する面（以下、これらをそれぞれ位置検出面と呼ぶ）５３ＡＸ及び５３ＢＸが、それぞれ映画フイルム１よりも幅が広くなるように外方に拡幅して形成されている。
【００３７】
この場合、スチールバンド２４は従来から十分幅広に形成されており、ガイドシユー５３の位置検出面５３ＡＸ及び５３ＢＸを拡幅しても十分に当該位置検出面５３ＡＸ及び５３ＢＸの全体と当接し得るようになされている。
【００３８】
各位置検出面５３ＡＸ及び５３ＢＸには、映画フイルム１の第１及び第２のパーフオレーシヨン列３Ａ及び３Ｂに沿つてそれぞれ複数の溝（図示せず）が所定間隔で形成され、当該複数の溝に対応してそれぞれ例えばガラス等でなる絶縁部材７０〜７７が充填されている。これら各絶縁部材７０〜７７にはそれぞれ一対の板状電極７８〜８５がその表面を露出すると共に各位置検出面５３ＡＸ及び５３ＢＸと電気的に接続しないように埋設されている。
【００３９】
また各位置検出面５３ＡＸ及び５３ＢＸには、映画フイルム１の両縁部に沿つて複数の溝（図示せず）が所定間隔で形成され、当該複数の溝に対応してそれぞれ絶縁部材８６〜９１が充填されている。これら各絶縁部材８６〜９１にはそれぞれ１個の板状電極９２〜９７がその表面を露出すると共に各位置検出面５３ＡＸ及び５３ＢＸと電気的に接続しないように埋設されている。
【００４０】
この場合、絶縁部材７０〜７７及び当該絶縁部材７０〜７７に埋設された複数の板状電極７８〜８５、並びに絶縁部材８６〜９１及び当該絶縁部材８６〜９１に埋設された複数の板状電極９２〜９７は、それぞれ位置検出面５３ＡＸ及び５３ＢＸとで凹凸が生じないように滑らかに加工され、これにより映画フイルム１の走行中に第１及び第２のパーフオレーシヨン列３Ａ及び３Ｂに相対摩擦による擦り傷が生じるのを防止し得るようになされている。
【００４１】
具体的には、図３に示すようにガイドシユー５３の一方の位置検出面５３ＡＸにおいて、映画フイルム１の第１のパーフオレーシヨン列３Ａに沿つて各パーフオレーシヨン２と同じピツチで４個の絶縁部材７０〜７３が埋設され、当該各絶縁部材７０〜７３に対応してそれぞれ一対の板状電極（以下、これらをそれぞれ第１及び第２の電極と呼ぶ）７８Ａ〜８１Ａ及び７８Ｂ〜８１Ｂが設けられている。
【００４２】
この場合、第１及び第２の電極７８Ａ〜８１Ａ及び７８Ｂ〜８１Ｂの映画フイルム１の走行方向の長さは、各パーフオレーシヨン２の幅方向の一端部２Ｂの長さよりも短くなるように予め設定されている。また第１及び第２の電極７８Ａ〜８１Ａ及び７８Ｂ〜８１Ｂの間隔は、各パーフオレーシヨン２の幅方向の一端部２Ｂの長さよりも短くなるように予め設定されている。
【００４３】
これにより、間欠送りされる映画フイルム１が瞬間的に走行停止状態となつて各パーフオレーシヨン２がそれぞれ第１及び第２の電極７８Ａ〜８１Ａ及び７８Ｂ〜８１Ｂ間を跨いで接触する場合（図３）、当該各パーフオレーシヨン２は第１及び第２の電極７８Ａ〜８１Ａ及び７８Ｂ〜８１Ｂ及び絶縁部材７０〜７３とのみ接触することとなり、第１及び第２の電極７８Ａ〜８１Ａ及び７８Ｂ〜８１Ｂ以外の導電部材でなる位置検出面５３ＡＸとは接触しない。
【００４４】
従つて図３のガイドシユー５３をＡ−Ａ′線を断面にとつて示す図４において、映画フイルム１をガイドシユー５３及びスチールバンド２４間で挟み込んだ場合、スチールバンド２４は導電部材でなると共に、第１及び第２の電極７８Ａ〜８１Ａ及び７８Ｂ〜８１Ｂはそれぞれ位置検出面５３ＡＸとで凹凸が生じないように滑らかに加工されていることから、スチールバンド２４と第１及び第２の電極７８Ａ〜８１Ａ及び７８Ｂ〜８１Ｂとによつてそれぞれ平行板コンデンサ（以下、これらをそれぞれ第１及び第２のコンデンサと呼ぶ）１００Ａ〜１０３Ａ及び１００Ｂ〜１０３Ｂを形成する。
【００４５】
因みに位置検出面５３ＡＸは若干湾曲形状でなるが、第１及び第２の電極７８Ａ〜８１Ａ及び７８Ｂ〜８１Ｂの映画フイルム１の走行方向の長さは全体からみて非常に短いことから、当該第１及び第２の電極７８Ａ〜８１Ａ及び７８Ｂ〜８１Ｂとスチールバンド２４とは平行として扱うことができる。
【００４６】
これと同様に、ガイドシユー５３の他方の位置検出面５３ＢＸにおいても、映画フイルム１をガイドシユー５３及びスチールバンド２４間で挟み込んだ場合、スチールバンド２４は導電部材でなると共に、複数の板状電極８２〜８５はそれぞれ位置検出面５３ＢＸとで凹凸が生じないように滑らかに加工されていることから、スチールバンド２４と複数の板状電極８２〜８５とによつてそれぞれ平行板コンデンサでなる第１及び第２のコンデンサ（図示せず）を形成する。
【００４７】
一方、図３に示すようにガイドシユー５３の一方の位置検出面５３ＡＸにおいて、映画フイルム１の縁部に沿つて所定間隔で埋設された３個の絶縁部材８６〜８８に対応してそれぞれ１個の板状電極（以下、これをエツジ電極と呼ぶ）９２〜９４が設けられている。
【００４８】
この場合、エツジ電極９２〜９４は映画フイルム１の縁部を中心としてほぼ線対称となるように予め設定されている。これにより、映画フイルム１の間欠送り中に常に映画フイルム１はエツジ電極９２〜９４のほぼ半分のみ当接する。
【００４９】
従つて、映画フイルム１をガイドシユー５３及びスチールバンド２４間で挟み込んだ場合、スチールバンド２４は導電部材でなると共に、複数のエツジ電極９２〜９４はそれぞれ位置検出面５３ＡＸとで凹凸が生じないように滑らかに加工されていることから、スチールバンド２４とエツジ電極９２〜９４とによつてそれぞれ平行板コンデンサ（以下、これらをそれぞれ第３のコンデンサと呼ぶ）（図示せず）を形成する。
【００５０】
因みに位置検出面５３ＡＸは若干湾曲形状でなるが、エツジ電極９２〜９４の映画フイルム１の走行方向の長さは全体からみて非常に短いことから、当該エツジ電極９２〜９４とスチールバンド２４とは平行として扱うことができる。
【００５１】
これと同様に、ガイドシユー５３の他方の位置検出面５３ＢＸにおいても、映画フイルム１をガイドシユー５３及びスチールバンド２４間で挟み込んだ場合、スチールバンド２４は導電部材でなると共に、複数の板状電極８２〜８５はそれぞれ位置検出面５３ＢＸとで凹凸が生じないように滑らかに加工されていることから、スチールバンド２４と複数の板状電極８２〜８５とによつてそれぞれ平行板コンデンサでなる第３のコンデンサ（図示せず）を形成する。
【００５２】
図５において、ガイドシユー５３及び差分検出回路４９の構成について示す。ガイドシユー５３の位置検出面５３ＡＸ及び５３ＢＸとスチールバンド２４（図１）との間に映画フイルム１が挟まれた状態にあるとき、スチールバンド２４と第１及び第２の電極７８Ａ〜８５Ａ及び７８Ｂ〜８５Ｂとによつてそれぞれ第１及び第２のコンデンサ１００Ａ〜１０７Ａ及び１００Ｂ〜１０７Ｂを形成する。
【００５３】
このとき第１及び第２のコンデンサ１００Ａ〜１０７Ａ及び１００Ｂ〜１０７Ｂは、それぞれスチールバンド２４がグランドに接続されると共に、第１及び第２の電極７８Ａ〜８５Ａ及び７８Ｂ〜８５Ｂが位置検出回路４９の第１及び第２の検出回路４９Ａ及び４９Ｂにそれぞれ電気的に接続されている。
【００５４】
また第３のコンデンサ１１０〜１１５は、それぞれスチールバンド２４がグランドに接続されると共にエツジ電極９２〜９７が位置検出回路４９の第３の検出回路４９Ｃに電気的に接続されている。
【００５５】
ここで、まず第１の検出回路４９Ａにおいては、発振器１２０は抵抗Ｒ1 を介して加算回路１２２と接続されると共に、当該抵抗Ｒ1 及び加算回路１２２間には一端がグランド接続された第１のコンデンサ１００Ａ〜１０３Ａの他端と接続されている。また発振器１２１は抵抗Ｒ2 を介して加算回路１２２と接続されると共に、当該抵抗Ｒ2 及び加算回路１２２間には一端がグランド接続された第２のコンデンサ１００Ｂ〜１０３Ｂの他端と接続されている。
【００５６】
加算回路１２２からは第１及び第２のコンデンサ１００Ａ〜１０３Ａ及び１００Ｂ〜１０３Ｂの静電容量の差分に基づく差分信号ＳＢＴが同期復調部１２３に供給される。同期復調部１２３は、加算回路１２２から与えられた出力電圧ｅ0 でなる差分信号ＳＢＴを、発振器１２０から与えられた出力電圧ｅ1 でなる基準信号ＲＥＦにより同期復調させた後、ローパスフイルタ（ＬＰＦ）１２４を介して長手方向検出信号Ｓ１Ａとして出力する。
【００５７】
この場合図５との対応部分に同一符号を付して示す図６において、加算回路１２２の出力電圧ｅ0 は、第１及び第２のコンデンサ１００Ａ〜１０３Ａ及び１００Ｂ〜１０３Ｂの静電容量の差分に基づいて変化する。以下に、加算回路１２２の出力電圧ｅ0 について説明する。
【００５８】
まず発振器１２０の出力電圧ｅ1 と加算回路１２２に供給される入力電圧ｅ3 との関係は、抵抗Ｒ1 及び第１のコンデンサ１００Ａ〜１０３Ａの静電容量Ｃ1 を考慮して、次式
【数１】
0003745426.tif 000002
で表される。また発振器１２１の出力電圧ｅ2 と加算回路１２２に供給される入力電圧ｅ4 との関係は、抵抗Ｒ2 及び第２のコンデンサ１００Ｂ〜１０３Ｂの静電容量Ｃ2 を考慮して、次式
【数２】
0003745426.tif 000003
で表される。
【００５９】
ところでこの場合、発振器１２０及び１２１の出力電圧ｅ1 及びｅ2 は互いに逆相でなり、その電圧値をｅとした場合、それぞれ次式
【数３】
0003745426.tif 000004
【数４】
0003745426.tif 000005
という関係が得られ、また抵抗Ｒ1 及びＲ2 は同一の抵抗値Ｒを有し、次式
【数５】
0003745426.tif 000006
で表される。
【００６０】
ここで映画フイルム１では、その幅方向における各パーフオレーシヨン列３Ａ、３Ｂの外側の領域及び各パーフオレーシヨン２間の領域がトリアセテート（ＴＡＣ）又はポリエステル（ＰＥＴ）等の絶縁体から構成されている。因みに平行板コンデンサの静電容量は、一般的に両極板の対向面積及び極板間の絶縁体の誘電率に比例し、絶縁体の空気に対する比誘電率は比較的大きいことから極板間が空気のときよりも絶縁体が介挿されているときの方が高い値を示すという特徴がある。
【００６１】
従つて第１及び第２のコンデンサ１００Ａ〜１０３Ａ及び１００Ｂ〜１０３Ｂでは、映画フイルム１が間欠送りされる際に当該映画フイルム１の各パーフオレーシヨン２が第１及び第２の電極７８Ａ〜８１Ａ及び７８Ｂ〜８１Ｂ上に位置するか否かによつてそれぞれ静電容量が異なる値を示すこととなる。
【００６２】
このように第１のコンデンサ１００Ａ〜１０３Ａの静電容量Ｃ1 は、映画フイルム１の各パーフオレーシヨン２が第１の電極７８Ａ〜８１Ａに位置する場合、すなわち極板間が空気で満たされる場合に最小値を示し、これに対して映画フイルム１の各パーフオレーシヨン２が第１の電極７８Ａ〜８１Ａ上に位置しない場合すなわち極板間が絶縁体で満たされる場合に最大値を示す。
【００６３】
これと同様に、第２のコンデンサ１００Ｂ〜１０３Ｂの静電容量Ｃ2 も、映画フイルム１の各パーフオレーシヨン２が第２の電極７８Ｂ〜８１Ｂに位置する場合に最小値を示し、これに対して映画フイルム１の各パーフオレーシヨン２が第２の電極７８Ｂ〜８１Ｂ上に位置しない場合に最大値を示す。
【００６４】
従つて第１及び第２のコンデンサ１００Ａ〜１０３Ａ及び１００Ｂ〜１０３Ｂの静電容量Ｃ1 及びＣ2 は、それぞれ極板間が空気で満たされたときの静電容量の値をＣとした場合に、当該各極板間に絶縁体が部分的又は全体的に介挿された場合の静電容量の変化量ΔＣ1 及びΔＣ2 を加えた値からなり、それぞれ次式
【数６】
0003745426.tif 000007
【数７】
0003745426.tif 000008
で表される。
【００６５】
このようにして加算回路１２２の出力電圧ｅ0 は、発振器１２０及び１２１の出力電圧ｅ1 及びｅ2 が互いに逆相でなることから、加算回路１２２において入力電圧ｅ3 及びｅ4 を加算することによつて得られ、式（３）〜式（７）を代入して、次式
【数８】
0003745426.tif 000009
で表される。因みに実験結果によれば、第１及び第２のコンデンサ１００Ａ〜１０３Ａ及び１００Ｂ〜１０３Ｂによるフイルム位置検出の分解能は１〔μm 〕単位であり、すなわち１〔μm 〕につき１〔mv〕の電圧が変化することが知られている。
【００６６】
一方、第２の検出回路４９Ｂも第１の検出回路４９Ａと同一の構成からなり、加算回路１２２からは第１及び第２のコンデンサ１０４Ａ〜１０７Ａ及び１０４Ｂ〜１０７Ｂの静電容量の差分に基づく差分信号ＳＢＴが同期復調部１２３に供給される。同期復調部１２３は、加算回路１２２から与えられた出力電圧ｅ0 でなる差分信号ＳＢＴを、発振器１２０から与えられた出力電圧ｅ1 でなる基準信号ＲＥＦにより同期復調させた後、ＬＰＦ１２４を介して長手方向検出信号Ｓ１Ｂとして出力する。
【００６７】
また、第３の検出回路４９Ｃにおいては、発振器１２５及び１２６はそれぞれ抵抗Ｒ3 を介して一端がグランド接続された第３のコンデンサ１１０〜１１２及び１１３〜１１５の他端と接続されている。この第３のコンデンサ１１０〜１１５では、映画フイルム１が間欠送りされる際に当該映画フイルム１の両縁部がそれぞれエツジ電極９２〜９４及び９５〜９７を２分割するように位置しており、このとき第３のコンデンサ１１０〜１１２と１１３〜１１５間の静電容量差から走行方向位置検出と同様の方法で幅方向検出信号Ｓ２が出力される。
【００６８】
すなわち、加算回路１２７からは第３のコンデンサ１１０〜１１５の静電容量の差分に基づく差分信号ＳＢＴ１が同期復調部１２８に供給される。同期復調部１２８は、加算回路１２７から与えられた出力電圧ｅ0 でなる差分信号ＳＢＴ１を発振器１２５から与えられた出力電圧ｅ1 でなる基準信号ＲＥＦ１により同期復調させた後、ローパスフイルタ（ＬＰＦ）１２９を介して幅方向検出信号Ｓ２として出力する。
【００６９】
（３）光軸補正部の構成
ここで図１との対応部分に同一符号を付して示す図７において、光軸補正部５２は、第１及び第２の平板１３０及び１３１を有し、当該第１及び第２の平板１３０及び１３１は共に同一の屈折率を有する硝子部材によつて成形されている。
【００７０】
第１の平板１３０は、一側端部及び他側端部にそれぞれモータ（ドライブ部）６０の出力軸を同軸とする軸棒１３２及び１３３が一体化して取り付けられ、当該軸棒１３２及び１３３を回動軸として第１の平板１３０を矢印ｃで示す方向又はこれとは逆方向に移動し得るようになされている。また軸棒１３２はモータ６０の出力軸と連結されている。
【００７１】
第２の平板１３１は、一側端部及び他側端部にそれぞれモータ（ドライブ部）６２の出力軸を同軸とする軸棒１３４及び１３５が一体化して取り付けられ、当該軸棒１３４及び１３５を回動軸として第２の平板１３１を矢印ｄで示す方向又はこれとは逆方向に移動し得るようになされている。また軸棒１３４はモータ６２の出力軸と連結されている。
【００７２】
ここでモータ６０及び６２の出力軸は互いに垂直関係を有するようになされている。またモータ６０には角度センサ６３が設けられ、軸棒１３２の回転角に基づいて第１の平板１３０の回転量を検出し得、かくして投影光ビームＬ１の光軸の補正量を検出し得るようになされている。さらにモータ６２には角度センサ６５が設けられ、軸棒１３４の回転角に基づいて第２の平板１３１の回転量を検出し得、かくして投影光ビームＬ１の光軸の補正量を検出し得るようになされている。
【００７３】
図７に示す光軸補正部５２のうち第１の平板１３０を、投影光ビームＬ１の光軸（図示せず）とモータ６０の出力軸とで形成される平面を断面にとつて図８に示す。図８において第１の平板１３０が、モータ６０及び６２の出力軸で形成される平面と平行になるような位置関係にあるとき、外側平面部１３０Ａ側の光軸Ｌ１Ｘと内側平面部１３０Ｂ側の光軸Ｌ１Ｙは共に一致する。
【００７４】
次に第１の平板１３０を軸棒１３２及び１３３を中心として矢印ｃで示す方向又はこれとは逆方向に回動移動させて外側平面部１３０Ａとモータ６０及び６２の出力軸で形成される平面とのなす角がθになるように傾けた場合、外側平面部１３０Ａ側の光軸Ｌ１Ｘは内側平面部１３０Ｂ側の光軸Ｌ１Ｙに対してｘだけモータ６２の出力軸と平行方向に移動することとなる。
【００７５】
また図７に示す光軸補正部６２のうち第２の平板１３１を、投影光ビームＬ１の光軸（図示せず）とモータ６２の出力軸とで形成される平面を断面にとつた場合も図８と同様に示される。図８において第２の平板１３１が、モータ６０及び６２の出力軸で形成される平面と平行になるような位置関係にあるとき、外側平面部１３１Ａ側の光軸Ｌ１Ｘと内側平面部１３１Ｂ側の光軸Ｌ１Ｙは共に一致する。
【００７６】
次に第２の平板１３１を軸棒１３４及び１３５を中心として矢印ｄで示す方向又はこれとは逆方向に回動移動させて外側平面部１３１Ａとモータ６０及び６２の出力軸で形成される平面とのなす角がθになるように傾けた場合、外側平面部１３１Ａ側の光軸Ｌ１Ｘは内側平面部１３１Ｂ側の光軸Ｌ１Ｙに対してｘだけモータ６０の出力軸と平行方向に移動することとなる。
【００７７】
ここで、第１及び第２の平板１３０及び１３１について、それぞれ硝子材の厚さをｄ、屈折率をｎとするとθとｘの間には、次式
【数９】
0003745426.tif 000010
が成立する。この式（９）は、平行移動量ｘをθの関数として表され、θの値が小さい場合にはｘとθはほぼ比例関係となり、図９に示すような屈折率ｎに応じて異なる直線Ｋ１０、Ｋ２０及びＫ３０で表される。この場合、直線Ｋ１０はｄ＝２、ｎ＝1.2 の場合を示し、直線Ｋ２０はｄ＝２、ｎ＝1.5 の場合を示し、直線Ｋ３０はｄ＝２、ｎ＝2.0 の場合を示す。例えば直線Ｋ２０上の点Ｐは、θを４°傾けたときには光軸Ｌ１Ｘがｘ＝0.05〔mm〕だけ平行移動することを表している。このようにｘとθの関数は、θの値が小さい場合にはｎの値が大きい程ｘの値が大きくなる。
【００７８】
（４）映像再生部における動作タイミング
次に図１０において、映像再生部５０（図１）における間欠送りスプロケツト２６、光軸補正部５２及び投影シヤツタ３０の動作タイミングを示す。
まず映画フイルム１が間欠送りスプロケツト２６によつて間欠送りされる際、時点ｔ1 で映画フイルム１が走行開始状態となる（図１０（Ａ））と共に投影シヤツタ３０が閉口状態となる（図１０（Ｃ））。
【００７９】
フイルムが停止した時点ｔ2 から時点ｔ3 までの間に光軸補正部５２は、映画フイルム１の各パーフオレーシヨン２及び両縁部の位置情報に基づいて投影光ビームＬ１の光軸の補正を行い（図１０（Ｂ））、その後時点ｔ4 で投影シヤツタ３０が開口状態となる（図１０（Ｃ））。
【００８０】
以下同様にして、時点ｔ5 から時点ｔ8 までの間、続く時点ｔ9 から時点ｔ12までの間においても、上述のような映画フイルム１が停止しかつ投影シヤツタ３０の閉口時に光軸補正することにより、投影シヤツタ３０を比較的長期間に亘つて開口し得ると共に、スクリーン３３上に映写される画面に明暗のちらつきを生じさせることなく画面の振れを防止し得る。
【００８１】
（５）実施例の動作
以上の構成において、ゲート部５１内のピクチヤアパーチヤ２３Ａに対する映画フイルム１の停止位置が安定状態にあるとき、第１及び第２の電極７８Ａ〜８５Ａ及び７８Ｂ〜８５Ｂは映画フイルム１の停止位置における各パーフオレーシヨン２に対応した所定位置に位置すると共に、エツジ電極９２〜９７も映画フイルム１の停止位置における両縁部に対応した所定位置に位置する。
【００８２】
このときの第１及び第２のコンデンサ１００Ａ〜１０７Ａ及び１００Ｂ〜１０７Ｂの静電容量と第３のコンデンサ１１０〜１１５の静電容量が基準値となる。
【００８３】
ここで映画フイルム１が間欠送りされる際に当該映画フイルム１の走行方向に位置振れが生じた場合、第１及び第２のコンデンサ１００Ａ〜１０７Ａ及び１００Ｂ〜１０７Ｂの各極板間における各パーフオレーシヨン２が安定状態にある停止位置から位置振れすることとなり、この結果、当該第１及び第２のコンデンサ１００Ａ〜１０７Ａ及び１００Ｂ〜１０７Ｂの各静電容量が映画フイルム１の位置振れ量に応じて基準値から変化する。
【００８４】
このときサンプリングパルス生成回路５４は、第１及び第２のコンデンサ１００Ａ〜１０７Ａ及び１００Ｂ〜１０７Ｂの各静電容量の変化量から得た位置検出信号Ｓ１からサンプルタイミングを検出し、サンプルホールドされた位置検出結果を光軸補正部５２に供給する。かくして光軸補正部５２は、映画フイルム１の走行停止状態で当該検出結果に基づいて映画フイルム１の走行方向における投影光ビームＬ１の光軸の補正を行い得る。
【００８５】
一方、映画フイルム１が間欠送りされる際に当該映画フイルム１の幅方向に位置振れが生じた場合、第３のコンデンサ１１０〜１１５の各極板間における映画フイルム１の両縁部が安定状態にある停止位置から位置振れすることとなり、当該第３のコンデンサ１１０〜１１５の各静電容量が映画フイルム１の位置振れ量に応じて基準値から変化する。このときサンプリングパルス生成回路５４は、第３のコンデンサ１１０〜１１５の各静電容量の変化量から得た位置検出信号Ｓ２からサンプルタイミングを検出し、サンプルホールドされた位置検出結果を光軸補正部５２に供給する。かくして光軸補正部５２は、映画フイルム１の走行停止状態で当該検出結果に基づいて映画フイルム１の幅方向における投影光ビームＬ１の光軸の補正を行い得る。
【００８６】
このようにして映画フイルム１の走行方向及び又は幅方向の位置を検出するようにしたことにより、映画フイルム１にゴミが付着したり、また映画フイルム１に相対摩擦による削り屑が発生した場合でも、当該ゴミ又は削り屑による影響をほとんど受けずに済む。仮にゴミ又は削り屑がガイドシユー５３及びスチールバンド２４間に付着しても、映画フイルム１の走行に伴つて当該ガイドシユー５３及びスチールバンド２４間から除去され得る。かくして従来のフオトセンサ７（図１３）を用いた光照射による検出方法に比べて格段と位置検出の信頼性を向上させ得る。
【００８７】
また映画フイルム１の走行方向の位置を検出するにあたつて、ガイドシユー５３の位置検出面５３ＡＸ及び５３ＢＸ上にそれぞれ一対の第１及び第２の電極７８Ａ〜８５Ａ及び７８Ｂ〜８５Ｂを複数設け、これらに対応して複数のパーフオレーシヨン２の位置を検出するようにしたことにより、単一のパーフオレーシヨン２の位置を検出する場合と比較して積分効果か得られ、この結果映画フイルム１の走行方向の位置の検出精度を格段と向上させることができる。
【００８８】
さらに映画フイルム１の幅方向の位置を検出するにあたつても、ガイドシユー５３の位置検出面５３ＡＸ及び５３ＢＸ上にそれぞれエツジ電極９２〜９７を複数設け、これらに対応して映画フイルム１の両縁部の位置を検出するようにしたことにより、単一のエツジ電極を設けた場合と比較して映画フイルム１の幅方向の位置の検出精度を格段と向上させることができる。
【００８９】
さらにゲート部５１においては、映画フイルム１の位置検出を行うにあたつて、ガイドシユー５３側に第１及び第２の電極７８Ａ〜８５Ａ及び７８Ｂ〜８５Ｂとエツジ電極９２〜９７を設けるのみで済み、スチールバンド２４側は従来のものをそのまま適用することができることから、ゲート部５１全体として簡易な構成で済む。
【００９０】
さらにこの場合、ゲート部５１内にフオトセンサのような繊細な装置を組み込むことなく、映画フイルム１の位置検出の手段をガイドシユー５３を直接加工して設けたことにより、ゲート部５１内に余分なスペースを確保する必要がなく、かつゲート部５１の構成を比較的簡易にし得る。
【００９１】
（６）実施例の効果
以上の構成によれば、ゲート部５１のガイドシユー５３側に第１及び第２の電極７８Ａ〜８５Ａ及び７８Ｂ〜８５Ｂとエツジ電極９２〜９７とを設け、当該第１及び第２の電極７８Ａ〜８５Ａ及び７８Ｂ〜８５Ｂ並びにエツジ電極９２〜９７とスチールバンド２４とによつて第１〜第３のコンデンサ１００Ａ〜１０７Ａ、１００Ｂ〜１０７Ｂ及び１１０〜１１５を形成し、映画フイルム１の位置振れ量に応じて変化する第１〜第３のコンデンサ１００Ａ〜１０７Ａ、１００Ｂ〜１０７Ｂ及び１１０〜１１５の各静電容量の変化量に基づいて映画フイルム１の位置を検出するようにしたことにより、簡易な構成で映画フイルム１の位置検出の精度を向上させることができる。
【００９２】
（７）他の実施例
なお上述の実施例においては、位置検出回路４９として図５に示す構成のものを用いた場合について述べたが、本発明はこれに限らず、図５との対応部分に同一符号を付した図１１に示すような位置検出回路１４０を用いても良い。すなわち位置検出回路１４０の第１の検出回路１４０Ａにおいては、発振器１４１は抵抗Ｒ4 及びＲ5 を介して減算回路１４２と接続されている。さらに抵抗Ｒ4 及び減算回路１４２間には一端がグランド接続された第１のコンデンサ１００Ａ〜１０３Ａの他端と接続されると共に、抵抗Ｒ5 及び減算回路１４２間には一端がグランド接続された第２のコンデンサ１００Ｂ〜１０３Ｂの他端と接続されている。
【００９３】
減算回路１４２からは第１及び第２のコンデンサ１００Ａ〜１０３Ａ及び１００Ｂ〜１０３Ｂの静電容量の差分に基づく差分信号ＳＢＴ２が同期復調部１４３に供給される。同期復調部１４３は、減算回路１４２から与えられた出力電圧ｅ0 でなる差分信号ＳＢＴ２を、発振器１４１から与えられた出力電圧ｅ5 でなる基準信号ＲＥＦ２により同期復調させた後、ローパスフイルタ（ＬＰＦ）１４４を介して長手方向検出信号Ｓ１Ａとして出力する。
【００９４】
この場合、図１１との対応部分に同一符号を付して示す図１２において、減算回路１４２の出力電圧ｅ0 は、第１及び第２のコンデンサ１００Ａ〜１０３Ａ及び１００Ｂ〜１０３Ｂの静電容量の差分に基づいて変化する。以下に、減算回路１４２の出力電圧ｅ0 について説明する。
【００９５】
まず発振器１４１の出力電圧ｅ5 と減算回路１４２に供給される入力電圧ｅ6 との関係は、抵抗Ｒ4 及び第１のコンデンサ１００Ａ〜１０３Ａの静電容量Ｃ1 を考慮して、次式
【数１０】
0003745426.tif 000011
で表される。また発振器１４１の出力電圧ｅ5 と減算回路１４２に供給される入力電圧ｅ7 との関係は、抵抗Ｒ5 及び第２のコンデンサ１００Ｂ〜１０３Ｂの静電容量Ｃ2 を考慮して、次式
【数１１】
0003745426.tif 000012
で表される。
【００９６】
ところでこの場合、発振器１４１の出力電圧ｅ5 は、減算回路１４２に供給される入力電圧ｅ6 及びｅ7 に対して同相でなり、その電圧値をｅとした場合、次式
【数１２】
0003745426.tif 000013
という関係が得られ、また抵抗Ｒ4 及びＲ5 は同一の抵抗値Ｒを有し、次式
【数１３】
0003745426.tif 000014
で表される。
【００９７】
このようにして減算回路１４２の出力電圧ｅ0 は、発振器１４１の出力電圧ｅ5 が減算回路１４２に供給される入力電圧ｅ6 及びｅ7 に対して共に同相でなることから、減算回路１４２において入力電圧ｅ6 及びｅ7 を減算することによつて得られ、式（６）及び式（７）、式（１０）〜式（１３）を代入して、次式
【数１４】
0003745426.tif 000015
で表される。
【００９８】
一方、第２の検出回路１４０Ｂも第１の検出回路１４０Ａと同一の構成からなり、減算回路１４２からは第１及び第２のコンデンサ１０４Ａ〜１０７Ａ及び１０４Ｂ〜１０７Ｂの静電容量の差分に基づく差分信号ＳＢＴ２が同期復調部１４３に供給される。同期復調部１４３は、減算回路１４２から与えられた出力電圧ｅ0 でなる差分信号ＳＢＴ２を、発振器１４１から与えられた出力電圧ｅ1 でなる基準信号ＲＥＦ２により同期復調させた後、ＬＰＦ１４４を介して長手方向検出信号Ｓ１Ｂとして出力する。
【００９９】
また、第３の検出回路１４０Ｃにおいては、発振器１４５及び１４６はそれぞれ抵抗Ｒ6 を介して一端がグランド接続された第３のコンデンサ１１０〜１１２及び１１３〜１１５の他端と接続されている。この第３のコンデンサ１１０〜１１５では、映画フイルム１が間欠送りされる際に当該映画フイルム１の両縁部がそれぞれエツジ電極９２〜９４及び９５〜９７を２分割するように位置しており、このとき第３のコンデンサ１１０〜１１２と１１３〜１１５間の静電容量差から走行方向位置検出と同様の方法で幅方向検出信号Ｓ２が出力される。
【０１００】
すなわち、減算回路１４７からは第３のコンデンサ１１０〜１１５の静電容量の差分に基づく差分信号ＳＢＴ３が同期復調部１４８に供給される。同期復調部１４８は、加算回路から与えられた出力電圧ｅ0 でなる差分信号ＳＢＴ３を、発振器１４５から与えられた出力電圧ｅ1 でなる基準信号ＲＥＦ３により同期復調させた後、ローパスフイルタ（ＬＰＦ）１４９を介して幅方向検出信号Ｓ２として出力する。
【０１０１】
このようにして位置検出回路１４０においても、第１及び第２のコンデンサ１０４Ａ〜１０７Ａ及び１０４Ｂ〜１０７Ｂの静電容量の差分を検出して得られる長手方向検出信号Ｓ１Ａ及びＳ１Ｂと、第３のコンデンサ１１０〜１１５の静電容量を検出して得られる幅方向検出信号Ｓ２を出力することができ、この結果図５の位置検出回路４９と同様の効果を得ることができる。
【０１０２】
さらに上述の実施例においては、第１のガイド部でなるガイドシユー５３の位置検出面５３ＡＸ及び５３ＢＸに、それぞれ４個の第１及び第２の電極７８Ａ〜８５Ａ及び７８Ｂ〜８５Ｂと３個のエツジ電極９２〜９７とを配設した場合について述べたが、本発明はこれに限らず、各位置検出面５３ＡＸ及び５３ＢＸにおいて、第１及び第２の電極は各パーフオレーシヨン２と同じピツチでかつ当該各パーフオレーシヨンに対応してそれぞれ一対で配設されていれば３個以下又は５個以上であつても良く、またエツジ電極９２〜９７は３個以外の所定数配設するようにしても良い。
【０１０３】
さらに上述の実施例においては、ガイドシユー５３における位置検出面５３ＡＸ及び５３ＢＸの両方にそれぞれ第１及び第２の電極７８Ａ〜８５Ａ及び７８Ｂ〜８５Ｂとエツジ電極９２〜９７とを配設するようにした場合について述べたが、本発明はこれに限らず、位置検出面５３ＡＸ又は５３ＢＸの一方にこれら複数の電極を配設するようにしても良い。
【０１０４】
さらに上述の実施例においては、フイルム幅方向の位置検出のために検出電極をフイルムエツジ部に設けているが、本発明はこれに限らず、パーフオレーシヨン部に電極を設け、幅方向の位置を検出するようにしても良い。
【０１０５】
さらに上述の実施例においては、映画フイルム１をスチールバンド２４によりガイドシユー５３に押し付け、このスチールバンド２４を電極として用いているが、本発明はこれに限らず、スチールバンド２４の代わりにガイドシユー５３との間隔を一定に保つた、固定空隙型電極を用いることもできる。この場合、この固定空隙型電極とガイドシユー５３上の電極との空隙は映画フイルム１の厚さより広くとる。これによりフイルム位置検出の精度を向上させることができる。この場合、映画フイルム１の抑えはガイドシユー５３の電極以外の部分に板バネ等の抑え機構を設ければ良い。
【０１０６】
さらに上述の実施例においては、光軸補正部５２としてそれそれ光透過性をもつ第１及び第２の平板１３０及び１３１を組み合わせたものを用いた場合について述べたが、本発明はこれに限らず、平凸レンズ及び平凹レンズでなる２枚のレンズを組み合わせたもの（図示せず）及び音響光学光変調器（図示せず）等を用いても良く、要は投影光ビームＬ１の光軸を変化し得るものであれば種々のものを適用し得る。
【０１０７】
さらに上述の実施例においては、映像再生部５０における光軸補正動作の動作タイミングを映画フイルム１の走行停止時にした場合について述べたが、本発明はこれに限らず、フイルム走行停止時に得た位置信号により映画フイルム１の走行時に光軸補正するようにしても良い。
【０１０８】
さらに上述の実施例においては、映像再生部５０における光軸補正動作の動作タイミングを、映画フイルム１が走行停止するごとに位置検出と光軸補正を行う場合について述べたが、本発明はこれに限らず、複数回の停止位置信号を平均化した信号により光軸補正をするようにしても良い。
【０１０９】
さらに上述の実施例においては、映像再生部５０は、光軸補正部５２を間欠送りスプロケツト２６及び投影シヤツタ３０の動作タイミングに同期させてリアルタイムで投影光ビームＬ１の光軸を補正するようにした場合について述べたが、本発明はこれに限らず、光軸補正部５２にメモリ（図示せず）を設け、当該メモリに映画フイルム１の走行方向及び幅方向の位置情報を書き込んでおき、映像再生時において当該メモリから読み出した位置情報に基づいて投影光ビームＬ１の光軸を補正するようにしても良い。
【０１１０】
さらに上述の実施例においては、映像再生部５０を映画フイルム走行装置に適用した場合について述べたが、本発明はこれに限らず、例えばいわゆるテレシネ装置（映画フイルムから得られる映像をＴＶ用に変換する装置）に用いるようにしても良い。この場合、映像再生部５０から出力される映画フイルム１の透過光を照射する投影対象として、ＴＶに接続されたＣＣＤカメラに照射するようにする。
【０１１１】
さらに上述の実施例においては、映像再生部５０において映画フイルム１の映像を再生する場合について述べたが、本発明はこれに限らず、所定の撮像光を映画フイルム１の所定領域に照射して当該映画フイルム１に撮像光に基づく映像を記録する映画フイルム記録装置に用いるようにしても良い。
【０１１２】
【発明の効果】
上述のように本発明によれば、映画フイルムの両面から挟み込んで挟持すると共に、光源光又は撮像光を映画フイルムの所定領域に通過させる窓穴が形成された第１及び第２のガイド部について、第１のガイド部に映画フイルムの長手方向に沿つて複数形成された走行同期穴を含む映画フイルムの縁部に対向して複数の電極を設けると共に、第２のガイド部に映画フイルムを介して複数の電極に対向してバンド状の導電部材を設け、各電極及び導電部材をそれぞれ極板とし、かつ映画フイルムの厚みを極板間隔として形成された複数のコンデンサの各停止位置からの変位量に応じて変化する各静電容量の変化量に基づいて、窓穴に対する各停止位置を検出するようにしたことにより、簡易な構成で映画フイルムの位置検出の精度を向上させ得るフイルム位置検出装置、映像表示装置及び映画フイルム記録装置を実現することができる。
【図面の簡単な説明】
【図１】本発明の一実施例による映像再生部の構成を示すブロツク図である。
【図２】実施例によるガイドシユーの構成を示す部分的平面図である。
【図３】図２のガイドシユーの構成を示す拡大図である。
【図４】図３のガイドシユーの構成を示す断面図である。
【図５】実施例による位置検出回路の構成を示すブロツク図である。
【図６】図５の位置検出回路における静電容量の差分検出の説明に供するブロツク図である。
【図７】実施例による光軸補正部を示す斜視図である。
【図８】図７の光軸補正部による光軸補正の説明に供する断面図である。
【図９】図８の光軸補正における平行移動量及び傾斜角の関係を表すグラフである。
【図１０】実施例による映像再生部における動作状態の説明に供する信号波形図である。
【図１１】他の実施例による位置検出回路の構成を示すブロツク図である。
【図１２】図１１の位置検出回路における静電容量の差分検出の説明に供するブロツク図である。
【図１３】従来の映画フイルムを示す平面図である。
【図１４】従来の映画フイルム走行装置の構成を示す略線的な平面図である。
【図１５】従来のフオトセンサの構成を示す略線図である。
【符号の説明】
１……映画フイルム、２……パーフオレーシヨン、３Ａ……第１のパーフオレーシヨン列、３Ｂ……第２のパーフオレーシヨン列、１２……映像再生部、１９……ゲート部、２２……ピクチヤゲート、２３……プレツシヤプレート、２４……スチールバンド、２５、５３……ガイドシユー、２６……間欠送りスプロケツト、３０……投影シヤツタ、３２……投影レンズ部、３３……スクリーン、４９……位置検出回路、５２……光軸補正部、５４……サンプリングパルス生成回路、７８Ａ〜８５Ａ……第１の電極、７８Ｂ〜８５Ｂ……第２の電極、９２〜９７……エツジ電極、１００Ａ〜１０７Ａ……第１のコンデンサ、１００Ｂ〜１０７Ｂ……第２のコンデンサ、１１０〜１１５……第３のコンデンサ。
【図１】
0003745426.tif 000016
【図２】
0003745426.tif 000017
【図３】
0003745426.tif 000018
【図４】
0003745426.tif 000019
【図５】
0003745426.tif 000020
【図６】
0003745426.tif 000021
【図８】
0003745426.tif 000022
【図７】
0003745426.tif 000023
【図９】
0003745426.tif 000024
【図１０】
0003745426.tif 000025
【図１１】
0003745426.tif 000026
【図１２】
0003745426.tif 000027
【図１３】
0003745426.tif 000028
【図１４】
0003745426.tif 000029
【図１５】
0003745426.tif 000030